(57)【要約】【課題】意匠部材を容易に変更可能とする遠隔操作装置を提供する。【解決手段】遠隔操作装置（リモコンＡ）は、利用者による操作に基づいて操作信号を発する操作手段１と、この操作手段１による機器の設定状態を表示する表示手段２と、操作手段１と表示手段２とが外側から臨むように開口部３１を有するケース３と、ケース３の表面の少なくとも一部を覆う板状の透明パネル４と、この透明パネル４をケース３に対して保持する固定手段５と、透明パネル４とケース３との間に介在する意匠部材６と、を備える。ケース３は、下方の辺に意匠部材６を載置する載置部３３を有する。【選択図】図２
2020017838.tif 000002
【特許請求の範囲】
【請求項１】
機器を遠隔操作する遠隔操作装置であって、
利用者による操作に基づいて操作信号を発する操作手段と、
前記操作手段による前記機器の設定状態を表示する表示手段と、
前記操作手段からの前記操作信号に基づいて、前記機器や前記表示手段へ制御信号を発する制御手段と、
前記制御手段が実装される回路基板と、
前記回路基板を収納し、前記操作手段と前記表示手段とが外側から臨むように開口部を有するケースと、
前記ケースの表面の少なくとも一部を覆う板状の透明部材と、
前記透明部材と前記ケースとの間に介在するシート状の意匠部材と、
前記透明部材を前記ケースに対して保持する固定手段と、
を備え、
前記ケースは、下方の辺に前記意匠部材を載置する載置部を有する、
ことを特徴とする遠隔操作装置。
【請求項２】
壁面に設置される遠隔操作装置であって、
前記ケースは、前記壁面に対し傾斜を有する、
ことを特徴とする請求項１に記載の遠隔操作装置。
【請求項３】
前記載置部は、少なくとも１つの切り欠き部を有する、
ことを特徴とする請求項１乃至２のいずれか１つに記載の遠隔操作装置。
【請求項４】
前記意匠部材は、前記切り欠き部の少なくとも１つに嵌合する突起部を有する、
ことを特徴とする請求項３に記載の遠隔操作装置。
【請求項５】
前記切り欠き部は、上方が広く、下方が狭い、
ことを特徴とする請求項３乃至４のいずれか１つに記載の遠隔操作装置。
【発明の詳細な説明】
【技術分野】
【０００１】
本発明は、無線または有線にて通信することで機器を操作するための遠隔操作装置に関する。
【背景技術】
【０００２】
従来の遠隔操作装置は、例えば、特許文献１に開示されるものがある。この遠隔操作装置は、ケースと透明部材でシート状の意匠部材を挟持し、且つ意匠部材を交換可能とすることでデザインの自由度を高めるものである。
【先行技術文献】
【特許文献】
【０００３】
【特許文献１】特開２０１８−３２９９２号公報
【発明の概要】
【発明が解決しようとする課題】
【０００４】
特許文献１に記載の遠隔操作装置は、意匠部材の開口が操作手段のキートップの突起に掛かる構造になっていた。しかしながら、デザイン性を高めるためキートップの起伏を平坦にした遠隔操作装置では、透明パネルを取り外した際に、意匠部材が落下する問題があった。
【０００５】
そこで本発明の目的は、上述課題に着目し、意匠部材を容易に変更可能とする遠隔操作装置を提供することにある。
【課題を解決するための手段】
【０００６】
本発明の遠隔操作装置は、
機器を遠隔操作する遠隔操作装置であって、
利用者による操作に基づいて操作信号を発する操作手段と、
前記操作手段による前記機器の設定状態を表示する表示手段と、
前記操作手段からの前記操作信号に基づいて、前記機器や前記表示手段へ制御信号を発する制御手段と、
前記制御手段が実装される回路基板と、
前記回路基板を収納し、前記操作手段と前記表示手段とが外側から臨むように開口部を有するケースと、
前記ケースの表面の少なくとも一部を覆う板状の透明部材と、
前記透明部材と前記ケースとの間に介在するシート状の意匠部材と、
前記透明部材を前記ケースに対して保持する固定手段と、
を備え、
前記ケースは、下方の辺に前記意匠部材を載置する載置部を有する、
ことを特徴とする。
【０００７】
さらに望ましくは、壁面に設置される遠隔操作装置であって、
前記ケースは、前記壁面に対し傾斜を有する、
ことを特徴とする。
【０００８】
さらに望ましくは、前記載置部は、少なくとも１つの切り欠き部を有する、
ことを特徴とする。
【０００９】
さらに望ましくは、前記意匠部材は、前記切り欠き部の少なくとも１つに嵌合する突起部を有する、
ことを特徴とする。
【００１０】
さらに望ましくは、前記切り欠き部は、上方が広く、下方が狭い、
ことを特徴とする。
【発明の効果】
【００１１】
本発明は、意匠部材を容易に変更可能とする遠隔操作装置を提供する。
【図面の簡単な説明】
【００１２】
【図１】本発明の第１の態様における遠隔操作装置を示す図である。
【図２】第１の態様における遠隔操作装置の組み付け前の斜視図である。
【図３】第１乃至第３の態様における制御的な構成を示すブロック図である。
【図４】本発明の第２の態様における遠隔操作装置の左側面を示す図である。
【図５】本発明の第３の態様における遠隔操作装置を示す図である。
【発明を実施するための形態】
【００１３】
以下、本発明の遠隔操作装置の態様として、空気調和機用のリモートコントローラ（以下、リモコンと記す）に適用したものを例に挙げて、図面を用いて説明する。
【００１４】
図１、図２は、本発明の第１の態様におけるリモコンＡを示す図である。リモコンＡは、操作手段１と、表示手段２と、ケース３と、透明パネル（透明部材）４と、固定手段５と、意匠部材６と、を備える。
【００１５】
図３は、第１乃至第３の態様におけるリモコンのブロック図を示す。リモコンＡ，Ｃ，Ｄは、操作手段１や表示手段２、遠隔操作対象となる空気調和機（機器）Ｂと通信可能に接続される制御手段７をケース３内の図示しない回路基板に実装している。
【００１６】
操作手段１は、利用者が触れることができるキートップを備えた押しボタンスイッチを適用でき、この場合、複数設けられる。キートップには、機能を示す文字やシンボルマークなどの意匠を印刷することもできる。また、操作手段１は、ケース３内の回路基板に実装された図示しないタクトスイッチ素子を備え、利用者の押圧操作に基づくキートップの位置変化に連動してタクトスイッチ素子が作動し、操作信号として制御手段７へ出力できる。なお、操作手段１は、抵抗膜方式や静電容量方式のタッチパネルスイッチであってもよい。
【００１７】
表示手段２は、液晶表示素子を用いた表示パネルを適用でき、制御手段７からの制御信号に基づいて所望の表示出力を行うことができる。表示手段２の表示内容は、例えば、空気調和機Ｂの設定状態や操作ガイド、室内/室外温度や、時刻などを表示できる。また、表示手段２を透明なタッチパネルで覆うことで、操作手段の一部として兼用することもできる。
【００１８】
ケース３は、合成樹脂材からなり、操作手段１の電子部品や表示手段２、制御手段７を実装する回路基板を収納する筐体である。また、ケース３は、この場合、箱状であり、壁面に取り付ける取り付け面（裏面）と反対側に、操作手段１や表示手段２を露出する開口部３１を有する操作面３２（表面）が設けられる。ケース３は、透明パネル４や意匠部材６を操作面３２側に保持するための固定手段５である磁石５１を複数保持している。ケース３は、この場合、白色の合成樹脂を適用しているが、透明や半透明の部材を用いたり、表面を鏡面や金属調に加工することもできる。ケース３は、下方の辺に突出した載置部３３を有する。なお、載置部３３は、ケース３と一体に成形されていてもよく、ケース３に取り付けられてもよい。
【００１９】
透明パネル４は、アクリル等を用いた透明な合成樹脂を適用でき、ケース３の操作面３２に固定手段５を用いて保持される。また透明パネル４は、操作面３２側の面が平滑であり、操作面３２と略同じ外郭形状をしており、操作手段１を露出するための開口孔４１が設けられる。この場合、透明パネル４は、固定手段５を挿通するための孔４２や、表示手段２に対応する孔４３も設けられている。なお、透明パネル４は、有色の顔料を含む透光性部材であったり、一部に模様または操作機能名、ロゴ、機種名など印刷が施されたものであっても適用できる。
【００２０】
固定手段５は、ケース３側に保持される磁石５１と、この磁石５１に接触し透明パネル４の孔４２に挿通可能な外径の胴部５２ａと、孔４２よりも大きな外径の頭部５２ｂを有する金属部材５２とからなる。固定手段５は、胴部５２ａが透明パネル４の孔４２や意匠部材６の孔６２に挿通することで、ケース３の操作面３２に沿った面方向の透明パネル４及び意匠部材６の位置決めを行うことができる。また、頭部５２ｂと操作面３２とで、透明パネル４や意匠部材６を挟み込むように介在させることで、操作面３２に対して水平方向に透明パネル４及び意匠部材６を保持できる。なお、金属部材５２は、図示した形状だけでなく、特に頭部５２ｂにあっては、形状や色、材質など適宜選択することもでき、この場合、意匠部材６との組み合わせにて、デザイン的な自由度を高める効果を期待できる。
【００２１】
意匠部材６は、紙や合成樹脂などシート状の部材を適用でき、透明パネル４に対向する面に、模様や色などの意匠を有している。意匠部材６は、透明パネル４とケース３の操作面３２との間に、挟まれて平らな状態で保持される。なお、意匠部材６は、透明パネル４と同様に、操作手段１を露出するための開口孔６１、金属部材５２（胴部５２ａ）を挿通するための孔６２、表示手段２に対応する孔６３が設けられている。
意匠部材６は、載置部３３に載置されるため、透明パネル４によって挟持されていない場合でも落下しづらくなる。これにより、利用者は、意匠部材６を容易に交換することができる。
【００２２】
制御手段７は、操作手段１や空気調和機Ｂからの信号に基づいて、表示手段２を駆動したり、空気調和機Ｂへの設定を促す通信信号を出力することができ、例えば、演算回路や記憶回路、計時回路等を有するマイクロコンピュータを適用できる。この場合、制御手段７は、空気調和機Ｂと通信するための送受信回路を含み、有線または無線にて利用者の操作に基づく空気調和機Ｂの遠隔操作を行うことができる。
【００２３】
次に、第２の態様であるリモコンＣについて、図４を用いて説明する。なお、第１の態様と同一あるいは相当個所には適宜同一符号を付してその詳細な説明を省略する。また、操作面３２の傾きや載置部３３の形状、意匠部材６及び透明パネル４の厚みなどについては、分かりやすくするため誇張して図示している。
【００２４】
図４（ａ）に示すように、リモコンＣは、略垂直な壁８の壁面８１に設置される。ケース３の操作面３２は、壁面８１に対し傾斜を有するように構成される。これにより、意匠部材６は、図４（ｂ）に示すように操作面３２に寄りかかる状態となり、透明パネル４によって挟持されていない場合でも落下しづらくなる。
【００２５】
次に、第３の態様であるリモコンＤについて、図５を用いて説明する。なお、第１、第２の態様と同一あるいは相当個所には適宜同一符号を付してその詳細な説明を省略する。
【００２６】
図５に示すように、リモコンＤは、載置部３３に切り欠き部３４を、意匠部材６に切り欠き部３４に嵌合する突起部６４を有している。これにより、意匠部材６は、ケース３に位置決めしやすくなり、また、利用者が突起部６４に指をかけて意匠部材６を取り外すことができ、意匠部材６の交換が容易になる。なお、透明パネル４は、切り欠き部３４及び突起部６４と略一致する部位を有するように形成されていてもよい。
【００２７】
また、切り欠き部３４は、上方が広く、下方が狭くなっている。これにより、突起部６４を誘い込むことができ、意匠部材６の位置決めを容易にする。
【００２８】
以上に説明した本発明は、以下の効果を奏する。
【００２９】
第１乃至第３の遠隔操作装置（リモコンＡ，Ｃ，Ｄ）は、ケース３の下部に意匠部材６を載置する載置部３３を有する。これにより、意匠部材６を取り換えるために透明パネル４を取り外した際に、意匠部材６が落下することを防止し、意匠部材６の変更を容易にする。
【００３０】
第２の態様における遠隔操作装置（リモコンＣ）は、ケース３の操作面３２は、壁面８１に対し傾斜を有する。これにより、意匠部材６を取り換えるために透明パネル４を取り外した際に、意匠部材６が落下することを防止し、意匠部材６の変更を容易にする。
【００３１】
なお、第２の態様における遠隔操作装置（リモコンＣ）について、想定される設置位置に応じて操作面３２の傾斜を調整してもよい。例えば、利用者の目線の正面に設置する場合は傾斜を小さくする、利用者の目線よりも下側に設置する場合は傾斜を大きくする、などである。
【００３２】
第３の態様における遠隔操作装置（リモコンＤ）は、載置部３３に切り欠き部３４を有し、意匠部材６に切り欠き部３４と嵌合する突起部６４を有する。これにより、意匠部材６をケース３に位置決めしやすくなり、意匠部材６の変更を容易にする。
また、第３の態様における遠隔操作装置（リモコンＤ）は、切り欠き部３４を上方が広く、下方が狭くすることで突起部６４を誘い込み、より意匠部材６を位置決めしやすくする。
【００３３】
なお、第３の態様における遠隔操作装置（リモコンＤ）について、ケース３の載置部３３に複数の切り欠き部３４を設けてもよい。意匠部材６の突起部６４は、いずれか１つの切り欠き部３４に嵌合するように設けられてもよく、２つ以上の切り欠き部３４に嵌合するように設けられてもよい。
【００３４】
なお、本発明の遠隔操作装置を上述した態様にて例に挙げて説明したが、本発明はこれに限定されるものではなく、他の構成においても、本発明の要旨を逸脱しない範囲において種々の改良が可能なことは勿論である。例えば、ケース３に金属片を、透明パネル４に磁石を設けてもよい。あるいは、磁力による結合を置き換えて、ビスによる螺合やフックによる係合、または、これらの組み合わせによって、透明パネル４及び意匠部材６が固定保持されるものであってもよい。
【００３５】
また、遠隔操作の対象機器として、空気調和機だけでなく、例えば、給湯機や電灯、あるいはシャッターや窓、カーテンなどの開閉装置などの機器を操作するものであってもよい。
【産業上の利用可能性】
【００３６】
本発明は、遠隔操作装置に関して、例えば、空気調和機や給湯機、電灯、あるいはシャッターや窓、カーテンなどの開閉装置などの機器を対象にした遠隔操作手段として好適である。
【符号の説明】
【００３７】
Ａ，Ｃ，Ｄ  リモコン（遠隔操作装置）
Ｂ          空気調和機（機器）
１          操作手段
２          表示手段
３          ケース
３１        開口部
３２        操作面
３３        載置部
３４        切り欠き部
４          透明パネル（透明部材）
４１        開口孔
４２        孔
４３        孔
５          固定手段
５１        磁石
５２        金属部材
６          意匠部材
６１        開口孔
６２        孔
６３        孔
６４        突起部
７          制御手段
８          壁
８１        壁面
【図１】
2020017838.tif 000003
【図２】
2020017838.tif 000004
【図３】
2020017838.tif 000005
【図４】
2020017838.tif 000006
【図５】
2020017838.tif 000007